(57)【要約】【課題】施工現場において容易に設置可能で、しかも美観性を向上できる間仕切壁を提供する。【解決手段】本発明に係る間仕切壁は、天井（天井面４）側に配置される上部受け材３０と、床（床面２）側に配置される下部受け材４０と、上端が上部受け材３０に固定され、下端が下部受け材４０に固定される柱状の複数の支持材５０と、支持材５０の左右の表面のうち少なくとも一方の表面側に、側面同士をほぼ当接させた状態で連続的に配設される複数の面材６０とを備える間仕切壁１０であって、各面材６０の前記側面近傍に配設され、隣接する二つの面材６０同士を係止する係止手段７０を備える。【選択図】      図２
2004183382.tif 000002
【特許請求の範囲】
【請求項１】
天井側に配置される上部受け材と、床側に配置される下部受け材と、上端が上部受け材に固定され、下端が下部受け材に固定される柱状の複数の支持材と、支持材の左右の表面のうち少なくとも一方の表面側に、側面同士をほぼ当接させた状態で連続的に配設される複数の面材とを備える間仕切壁であって、
各面材の前記側面近傍に配設され、隣接する二つの面材同士を係止する係止手段を備えることを特徴とする間仕切壁。
【請求項２】
請求項１に記載の間仕切壁であって、
前記係止手段が、隣接する二つの面材のうち一方の面材の裏面側に配設されて、他方の面材の裏面側まで延出する延出板により構成されることを特徴とする間仕切壁。
【請求項３】
請求項２に記載の間仕切壁であって、
前記延出板が前記面材と前記支持材との間に介在することを特徴とする間仕切壁。
【請求項４】
請求項３に記載の間仕切壁であって、
前記面材と前記支持材との間に介在する前記延出板に、この支持材の前後方向の移動を規制する移動規制部材が配設されていることを特徴とする間仕切壁。
【請求項５】
請求項３又は４に記載の間仕切壁であって、
前記支持材の左右両表面側に面材が配設され、
前記支持材の左右方向の長さとこの支持材の左右に介在する二つの延出板の左右方向の長さとを足し合せた長さが、前記上部受け材及び下部受け材の左右方向の長さとほぼ同一となり、
前記延出板の上下方向の長さと前記上部受け材及び下部受け材の上下方向の長さとを足し合せた長さが前記面材の上下方向の長さとほぼ同一となることを特徴とする間仕切壁。
【請求項６】
請求項１に記載の間仕切壁であって、
前記係止手段が、二枚の面材の表面同士を重ね合わせて、一方の面材の側面を他方の面材の側面に対して突出させることにより構成されることを特徴とする間仕切壁。
【請求項７】
請求項１〜６のいずれか一項に記載の間仕切壁であって、
前記天井が勾配天井であることを特徴とする間仕切壁。
【発明の詳細な説明】
【０００１】
【発明の属する技術分野】
本発明は、建物内に設けられる間仕切壁に関する。
【０００２】
【背景の技術】
一般に、住宅等の建物には、内部空間を区画する間仕切壁が設けられている。
間仕切壁は、例えば、工場において、断面形状がコ字状の受け材（Ｃ型チャンネル鋼材）からなるランナーを天井と床とに配置し、天井と床のランナーの間に角パイプからなるスタッドを立て、その外側に石膏ボード等の壁面材を貼り付ける構成となっている（例えば、特許文献１参照。）。
【０００３】
【特許文献１】
特開平９−１００５９０号公報
【０００４】
【発明が解決しようとする課題】
ところで、上記特許文献１に開示されているような間仕切壁を施工する際に、複数枚の石膏ボードを連続して並べることにより一つの大きな壁面を形成する場合があるが、この場合に隣接する石膏ボード間に隙間が生じて、美観上好ましくないという問題があった。
また、間仕切壁は、建物の外壁を構成する部材と比較して、高い強度・剛性を必要とせず、また、将来的に容易に除去可能であることが望ましい。従って、特許文献１に開示されているような、工場で予め組み立てておく間仕切壁ではなく、間仕切壁の施工現場において簡便に組み立て可能な間仕切壁が望まれている。
また、以上のような問題は、傾斜した天井面（勾配天井）を有する空間を区画する間仕切壁に対しても同様に生じている。
【０００５】
本発明の課題は、上述の問題を考慮したものであり、施工現場において容易に設置可能で、しかも美観性を向上できる間仕切壁を提供することである。
【０００６】
【課題を解決するための手段】
上記課題を解決するため、請求項１記載の発明は、例えば、図１及び図２に示すように、天井（天井面４）側に配置される上部受け材３０と、床（床面２）側に配置される下部受け材４０と、上端が上部受け材３０に固定され、下端が下部受け材４０に固定される柱状の複数の支持材５０と、支持材５０の左右の表面のうち少なくとも一方の表面側に、側面同士をほぼ当接させた状態で連続的に配設される複数の面材６０とを備える間仕切壁１０であって、各面材６０の前記側面近傍に配設され、隣接する二つの面材６０同士を係止する係止手段７０を備えることを特徴とする。
【０００７】
請求項１に記載の発明によれば、係止手段７０を用いて隣接する二つの面材６０を係止するので、二つの面材６０間に隙間が生じる事態を防止できる。
【０００８】
請求項２に記載の発明は、請求項１に記載の間仕切壁１０であって、前記係止手段７０が、隣接する二つの面材６０のうち一方の面材６０の裏面側に配設されて、他方の面材６０の裏面側まで延出する延出板７１により構成されることを特徴とする。
【０００９】
請求項２に記載の発明によれば、請求項１と同様の効果を得られると共に、係止手段として隣接する二つの面材６０のうち一方の面材６０の裏面側に配設されて、他方の面材６０の裏面側まで延出する延出板７１を用いるので、係止手段の製造コストを抑えることができる。
【００１０】
請求項３に記載の発明は、請求項２に記載の間仕切壁１０であって、前記延出板７１が前記面材６０と前記支持材５０との間に介在することを特徴とする。
【００１１】
請求項３に記載の発明によれば、請求項２と同様の効果を得られると共に、延出板７１を面材６０と支持材５０との間に介在させるので、延出板７１と支持材５０とにより、面材６０をその裏面側から強固に支持することができる。
【００１２】
請求項４に記載の発明は、請求項３に記載の間仕切壁１０であって、前記面材６０と前記支持材５０との間に介在する前記延出板７１に、この支持材５０の前後方向の移動を規制する移動規制部材８０が配設されていることを特徴とする。
【００１３】
請求項４に記載の発明によれば、請求項３と同様の効果を得られると共に、移動規制部材８０により支持材５０の前後方向の移動が規制され、支持材５０と面材６０とをより強固に固定することが可能となる。
【００１４】
請求項５に記載の発明は、請求項３又は４に記載の間仕切壁１０であって、前記支持材５０の左右両表面側に面材６０が配設され、前記支持材５０の左右方向の長さとこの支持材５０の左右に介在する二つの延出板７１の左右方向の長さとを足し合せた長さが、前記上部受け材３０及び下部受け材４０の左右方向の長さとほぼ同一となり、前記延出板７１の上下方向の長さと前記上部受け材３０及び下部受け材４０の上下方向の長さとを足し合せた長さが前記面材６０の上下方向の長さとほぼ同一となることを特徴とする。
【００１５】
請求項５に記載の発明によれば、請求項３又は４と同様の効果を得られると共に、各面材６０を延出板７１を介して、上部受け材３０、下部受け材４０及び面材６０の前後の側面近傍に位置する支持材５０により形成される矩形状の枠体に隙間無く嵌め込み固定するので、間仕切壁１０を施工現場において強固かつ簡便に組み立てることができると共に、間仕切壁１０の除去作業が容易となる。
【００１６】
請求項６に記載の発明は、請求項１に記載の間仕切壁１０であって、前記係止手段７０が、二枚の面材６０の表面同士を重ね合わせて、一方の面材６０の側面を他方の面材６０の側面に対して突出させることにより構成されることを特徴とする。
【００１７】
請求項６に記載の発明によれば、請求項１と同様の効果を得られると共に、間仕切壁１０の部品点数の削減が可能となると共に、面材６０として安価な石膏ボードを用いることが多いので、間仕切壁１０の製造コストを抑えることが可能となる。
【００１８】
請求項７に記載の発明は、請求項１〜６のいずれか一項に記載の間仕切壁１０であって、前記天井が勾配天井（勾配天井面３）であることを特徴とする。
【００１９】
請求項７に記載の発明によれば、請求項１〜６のいずれか一項と同様の効果を得られると共に、比較的施工が難しい勾配天井を有する空間に対しても間仕切壁を容易に施工できる。
【００２０】
【発明の実施の形態】
以下、本発明の実施の形態について、図面を参照して説明する。
本実施の形態において、図１に示すように、間仕切壁１０、２０が配置される住宅１は勾配屋根を有する二階建ての住宅であり、一階の空間を二つの居室に区切るための壁として間仕切壁１０を適用し、二階の空間を二つの居室に区切るための壁として間仕切壁２０を適用している。
【００２１】
なお、以下の説明においては、便宜上、二階の天井面のように床面２に対して傾斜している天井面を「勾配天井面３」といい、一階の天井面のように床面２に対して平行な天井面を単に「天井面４」という。
また、二階の間仕切壁２０は一階の間仕切壁１０と比較して、その上部が勾配天井面３に対応して傾斜している点が相違点であり、その他の構成は一階の間仕切壁１０と同様である。従って、以下、一階の間仕切壁１０について説明し、二階の間仕切壁２０についての説明は省略する。
【００２２】
図２に示すように、間仕切壁１０は、天井面４に固定される上部受け材３０、平面視した場合に上部受け材３０と平行となるように床面２に固定される下部受け材４０、上端が上部受け材３０に固定され、下端が下部受け材４０に固定される柱状の複数の支持材５０、支持材５０の左右両側に、側面同士をほぼ当接させた状態で前後方向に連続的に配設される複数の面材６０、これら複数の面材６０のうち隣接する二つの面材６０同士を係止する係止手段７０等から概略構成される。
【００２３】
上部受け材３０及び下部受け材４０は、間仕切壁１０の前端から後端にまで延びる棒状の薄板部材である。
なお、上部受け材３０及び下部受け材４０は必ずしも薄板部材である必要はなく、例えば、断面略コ字状の部材（ランナー）や角材等を使用しても良い。
図３（Ａ）に示すように、上部受け材３０は、その上面を天井面４の下面に当接させた状態で、ビス３１を天井面４に貫通させることにより固定されている。下部受け材４０は、その下面を床面２の上面に当接させた状態で、ビス４１を床面材４２（フローリング等）及び床面２に貫通させることにより固定されている。
図３（Ｂ）に示すように、床面２にカーペット４３等を敷設する場合には、間仕切壁１０の床面２からの高さを調節するための薄板状の調整材４４を下部受け材４０と床面２との間に介在させてもよい。なお、図３中、符号４５は巾木を指している。
【００２４】
図２及び図３に示すように、支持材５０は面材６０の上下方向の長さより若干短く形成された棒状の部材であり、その上端面において上部受け材３０の下面に当接し、その下端面において下部受け材４０の上面に当接している。また、支持材５０の左右方向の長さ（厚さ）は、上部受け材３０及び下部受け材４０の左右方向の長さより若干短く形成されている。
本実施の形態においては、支持材５０を面材６０の前後の側面近傍及び前後方向の中間位置に配置しているが、少なくとも、面材６０の前後の側面近傍に配置されていればよい。
【００２５】
面材６０は石膏ボード等により形成されており、その前後方向の長さはほぼ基準寸法である１モジュール（９１０ｍｍ）に形成され、その上下方向の長さは、床面２から天井面４までの長さ（天井高さ）より若干短く形成されている。
面材６０は、支持材５０の左右両側において、その側面同士をほぼ当接させた状態で前後方向に連続的に配設されている。
【００２６】
係止手段７０は各面材６０の前後の側面のうちの一方の側面（本実施の形態においては前方の側面）近傍に配設されている。
本実施の形態においては、係止手段７０は延出板７１により構成される。
図２〜図４に示すように、延出板７１は上下方向に延びる棒状の薄板部材であり、その表面の一部において隣接する二つの面材６０のうちの一方の面材６０の裏面に接合した状態で前方に突出（延出）している。
また、上部受け材３０及び下部受け材４０の上下方向の長さと延出板７１の上下方向の長さを足し合せた長さが面材６０の上下方向の長さとほぼ同一となるように延出板７１を形成している。そして、延出板７１は、その上下に若干の隙間が空いた状態で面材６０に接合している。
【００２７】
そして、図３に示すように、延出板７１を上部受け材３０と下部受け材４０の間に嵌め込むことにより、延出板７１の下面が下部受け材４０の上面にほぼ当接し、延出板７１の上面が上部受け材３０の下面にほぼ当接するようになっている。
また、図４に示すように、延出板７１の突出した部分の表面を隣接する他方の面材６０の裏面に当接させることにより、隣接する二つの面材６０同士が係止されるようになっている。
【００２８】
また、面材６０の前後の側面近傍に配置されている支持材５０の左右両側面に、この支持材５０を左右から挟む位置に配設されている二つの延出板７１の裏面が当接する、つまり、延出板７１が面材６０と支持材５０との間に介在するようになっている。なお、図３示すように、面材６０はビス６１により上部受け材３０及び下部受け材４０に固定されている。
【００２９】
ここで、支持材５０の左右方向の長さと、この支持材５０を左右から挟む二つの延出板７１の左右方向の長さとを足し合せた長さが、上部受け材３０及び下部受け材４０の左右方向の長さとほぼ同一となるように形成されている。
従って、面材６０は延出板７１を介して、上部受け材３０、下部受け材４０及び面材６０の前後の側面近傍に位置する支持材５０により形成される矩形状の枠体にほぼ隙間無く固定されるようになっている。
【００３０】
以上のように、本実施の形態に示した間仕切壁１０によれば、係止手段７０としての延出板７１を用いて隣接する二つの面材６０を係止するので、二つの面材６０間に隙間が生じる事態を防止できる。
また、各面材６０を延出板７１を介して、上部受け材３０、下部受け材４０及び面材６０の前後の側面近傍に位置する支持材５０により形成される矩形状の枠体に隙間無く嵌め込み、ビス３１、４１、６１等を用いて固定するので、間仕切壁１０を施工現場において強固かつ簡便に組み立てることができると共に、間仕切壁１０の除去作業が容易となる。
また、図２に示すように、本実施の形態においては、延出板７１と同一形状の部材７２を面材６０の裏面の前後方向の中間位置に取り付けて、面材６０の中間位置に配置した支持材５０の左右両側面をこの部材７２で挟み込む構成としている。これにより面材６０をより強固に固定することが可能となると共に、面材６０自体の強度を向上させることが可能となる。
【００３１】
なお、本発明は、上記実施の形態に限定されることなく、適宜変更可能である。
例えば、図５（Ａ）に示すように、延出板７１の裏面から突出して、支持材５０の前後両側面の一部に当接する移動規制部材８０を設けても良い。
この場合、移動規制部材８０により支持材５０の前後方向の移動が規制され、支持材５０と面材６０とをより強固に固定することが可能となる。
【００３２】
また、図５（Ｂ）に示すように、二枚の面材９０、９１の表面同士を重ね合わせて、一方の面材（例えば面材９０）の側面を他方の面材（例えば面材９１）の側面に対して前方に突出させたものを係止手段７０としても良い。
この場合、重なり合った二枚一組の面材を、上記実施の形態における一枚の面材６０として用いることになり、二枚一組の面材の側面に、前後方向に隣接する他の二枚一組の面材の側面を密着させることにより、これら二枚一組の面材同士が係止されることとなる。
従って、上記実施の形態で示した延出板７１が必要無くなり、間仕切壁１０の部品点数の削減が可能となると共に、面材６０として安価な石膏ボードを用いることが多いので、上記実施の形態で示した間仕切壁１０と比較して、間仕切壁１０の製造コストを抑えることが可能となる。
【００３３】
また、本実施の形態においては、面材６０は支持材５０の左右両側に配置され、間仕切壁１０の左右両面に面材６０が取り付けられるものとしたが、これに限らず、面材６０を支持材５０の左右いずれか一方の側面にのみ配置するものとしても良い。
また、延出板７１を一つの面材６０に対して一つ取り付けるものとしたが、これに限らず、延出板７１を一つの面材６０の前後の側面近傍に取り付けても良い。
【００３４】
【発明の効果】
請求項１に記載の発明によれば、係止手段を用いて隣接する二つの面材を係止するので、二つの面材間に隙間が生じる事態を防止できる。
【００３５】
請求項２に記載の発明によれば、請求項１と同様の効果を得られると共に、係止手段として隣接する二つの面材のうち一方の面材の裏面側に配設されて、他方の面材の裏面側まで延出する延出板を用いるので、係止手段の製造コストを抑えることができる。
【００３６】
請求項３に記載の発明によれば、請求項２と同様の効果を得られると共に、延出板を面材と支持材との間に介在させるので、延出板と支持材とにより、面材をその裏面側から強固に支持することができる。
【００３７】
請求項４に記載の発明によれば、請求項３と同様の効果を得られると共に、移動規制部材により支持材の前後方向の移動が規制され、支持材と面材とをより強固に固定することが可能となる。
【００３８】
請求項５に記載の発明によれば、請求項３又は４と同様の効果を得られると共に、各面材を延出板を介して、上部受け材、下部受け材及び面材の前後の側面近傍に位置する支持材により形成される矩形状の枠体に隙間無く嵌め込み固定するので、間仕切壁を施工現場において強固かつ簡便に組み立てることができると共に、間仕切壁の除去作業が容易となる。
【００３９】
請求項６に記載の発明によれば、請求項１と同様の効果を得られると共に、間仕切壁の部品点数の削減が可能となると共に、面材として安価な石膏ボードを用いることが多いので、間仕切壁の製造コストを抑えることが可能となる。
【００４０】
請求項７に記載の発明によれば、請求項１〜６のいずれか一項と同様の効果を得られると共に、比較的施工が難しい勾配天井を有する空間に対しても間仕切壁を容易に施工できる。
【図面の簡単な説明】
【図１】本実施の形態に係る間仕切壁を示す側面図である。
【図２】間仕切壁の構造を示す斜視図である。
【図３】間仕切壁の構造を示す正面図（Ａ）及び（Ｂ）である。
【図４】間仕切壁の構造を示す平面図である。
【図５】他の間仕切壁の構造を示す平面図（Ａ）及び（Ｂ）である。
【符号の説明】
２    床（床面）
３    勾配天井（勾配天井面）
４    天井（天井面）
１０  間仕切壁
３０  上部受け材
４０  下部受け材
５０  支持材
６０  面材
７０  係止手段
７１  延出板
８０  移動規制部材
【図１】
2004183382.tif 000003
【図２】
2004183382.tif 000004
【図３】
2004183382.tif 000005
【図４】
2004183382.tif 000006
【図５】
2004183382.tif 000007